(57)【要約】【課題】施工性の低下を抑えること。【解決手段】照明器具１は、常用照明装置と非常用照明装置３と器具本体１０とを備える。器具本体１０は、長尺の天板１１を有し、天板１１と対向するように常用照明装置及び非常用照明装置３を天板１１の長手方向に沿って並べて収容する。天板１１は、天板１１の厚み方向に貫通し、造営材に器具本体１０を固定するための吊りボルト９が各々に挿通される２つの貫通孔１１１を有する。２つの貫通孔１１１は、常用照明装置を天板１１の厚み方向に沿って見たときに天板１１に対する常用照明装置の投影領域１６内に設けられている。２つの貫通孔１１１は、さらに、上記長手方向における投影領域１６の中心Ｐ１に対して互いに対称位置にある。【選択図】図１
2018147589.tif 000002
【特許請求の範囲】
【請求項１】
常用照明を行う常用照明装置と、
非常用照明を行う非常用照明装置と、
長尺の底板を有し、前記底板と対向するように前記常用照明装置及び前記非常用照明装置を前記底板の長手方向に沿って並べて収容する器具本体と、を備え、
前記底板は、前記底板の厚み方向に貫通し、造営材に前記器具本体を固定するための固定部材が各々に挿通される２つの貫通孔を有し、
前記２つの貫通孔は、前記器具本体を前記底板の前記厚み方向に沿って見たときに前記底板に対する前記常用照明装置の投影領域内に設けられていて、かつ、前記長手方向における前記投影領域の中心に対して互いに対称位置にある
ことを特徴とする照明器具。
【請求項２】
前記底板は、外部電源と接続される電源線を前記器具本体内に引き込むための挿通孔を、更に有し、
前記挿通孔は、前記底板の前記厚み方向に貫通し、かつ、前記投影領域の前記中心に設けられている
ことを特徴とする請求項１記載の照明器具。
【請求項３】
前記電源線が接続される端子台を、更に備え、
前記常用照明装置は、
常用光源と、
前記端子台を介して前記外部電源から供給される電力により前記常用光源を点灯する電源装置と、を有し、
前記端子台は、前記投影領域のうち、前記長手方向における前記挿通孔と前記２つの貫通孔の一方との間の第１領域に設けられ、
前記電源装置は、前記投影領域のうち、前記長手方向における前記挿通孔と前記２つの貫通孔の他方との間の第２領域に設けられている
ことを特徴とする請求項２記載の照明器具。
【発明の詳細な説明】
【技術分野】
【０００１】
本発明は、一般に照明器具に関し、より詳細には、常用照明と非常用照明を行う照明器具に関する。
【背景技術】
【０００２】
従来例として、特許文献１記載の照明器具を例示する。この従来例は、器具本体と、常用照明用の常用光源ユニットと、非常時照明用の非常用照明装置とを備えている。器具本体は、下面が開口する長尺かつ矩形の箱形に形成されている。常用光源ユニットは、複数のＬＥＤモジュールと、各ＬＥＤモジュールが取り付けられる取付部材と、各ＬＥＤモジュールを覆うようにして取付部材に取り付けられるカバーと、各ＬＥＤモジュールを点灯する電源装置とを備えている。常用光源ユニットは、器具本体の下面からカバーを露出するようにして器具本体内に収容される。
【０００３】
非常用照明装置は、非常用光源ユニットと、制御装置とを備える。非常用光源ユニットは、ＬＥＤモジュール、レンズ、カバー、非常用電源（蓄電池）などを備える。ＬＥＤモジュールの前方にレンズが配置される。カバーは、レンズを前方に露出するようにしてＬＥＤモジュールの前方に配置される。非常用電源は、ＬＥＤモジュールの後方に配置されている。制御装置は、常用電源から供給される電力で非常用電源を充電する充電回路と、常用電源の停電時に非常用電源を電源としてＬＥＤモジュールを点灯させる非常用電源回路とを備える。また、制御装置は、点検スイッチによる操作入力を受け取って点検動作を行う制御回路を備える。常用電源は、例えば、常用光源ユニットの電源装置に給電する電源（商用の交流電源）である。
【先行技術文献】
【特許文献】
【０００４】
【特許文献１】特開２０１６−１３４２０８号公報
【発明の概要】
【発明が解決しようとする課題】
【０００５】
ところで、この従来例では、器具本体を天井材に固定するための吊りボルト（固定部材）を通す一対の孔が、器具本体の長手方向の中央からそれぞれ等しい間隔で設けられている。そのため、例えば非常用照明装置を備えずに常用照明装置のみを備える別の照明器具が、この従来例の照明器具とともに幅方向に並べて設置される場合に、非常用照明装置の有無に起因して互いの常用照明装置の位置がずれてしまう。このような位置ずれを抑制するために、従来では専用の取付器具を木ねじなどで器具本体の上面に取り付けて、当該取付器具を介して吊りボルトに固定するという煩雑な作業が必要であった。したがって、施工性の改善が望まれる。
【０００６】
本発明は上記事由に鑑みてなされ、施工性の低下を抑えることができる照明器具を提供することを目的とする。
【課題を解決するための手段】
【０００７】
本発明の一態様に係る照明器具は、常用照明を行う常用照明装置と、非常用照明を行う非常用照明装置と、器具本体と、を備える。前記器具本体は、長尺の底板を有し、前記底板と対向するように前記常用照明装置及び前記非常用照明装置を前記底板の長手方向に沿って並べて収容する。前記底板は、前記底板の厚み方向に貫通し、造営材に前記器具本体を固定するための固定部材が各々に挿通される２つの貫通孔を有する。前記２つの貫通孔は、前記器具本体を前記底板の前記厚み方向に沿って見たときに前記底板に対する前記常用照明装置の投影領域内に設けられている。前記２つの貫通孔は、さらに、前記長手方向における前記投影領域の中心に対して互いに対称位置にある。
【発明の効果】
【０００８】
本発明は、施工性の低下を抑えることができる、という利点がある。
【図面の簡単な説明】
【０００９】
【図１】図１は、本発明の一実施形態に係る照明器具における常用照明装置が取り付けられていない状態の正面図である。
【図２】図２は、同上の照明器具の要部の下方から見た分解斜視図である。
【図３】図３は、同上の照明器具における非常用照明装置のカバーの上方から見た斜視図である。
【図４】図４は、同上の照明器具の下方から見た分解斜視図である。
【図５】図５Ａは、同上の照明器具の正面図である。図５Ｂは、同上の照明器具の平面図である。図５Ｃは、同上の照明器具の左側面図である。
【図６】図６は、同上の照明器具における非常用照明装置の下方から見た斜視図である。
【図７】図７Ａは、同上の照明器具における非常用照明装置の正面図である。図７Ｂは、同上の照明器具における非常用照明装置の平面図である。図７Ｃは、同上の照明器具における非常用照明装置の右側面図である。
【図８】図８Ａは、同上の照明器具における非常用照明装置の背面図である。図８Ｂは、同上の照明器具における非常用照明装置の下面図である。
【図９】図９は、同上の照明器具における非常用照明装置の下方から見た分解斜視図である。
【図１０】図１０は、同上の照明器具における非常用照明装置の断面図である。
【図１１】図１１は、同上の照明器具における非常用照明装置の下方から見た分解斜視図である。
【図１２】図１２は、同上の照明器具における非常用光源ユニット及び制御装置の下方から見た分解斜視図である。
【図１３】図１３は、同上の照明器具における非常用電源ユニットの下方から見た分解斜視図である。
【図１４】図１４は、同上の照明器具、及び非常用照明装置を備えない別の照明器具の正面図である。
【発明を実施するための形態】
【００１０】
（１）概要
以下に説明する構成は、本発明の一例に過ぎず、本発明は、下記の構成に限定されることはなく、下記の構成以外であっても、本発明に係る技術的思想を逸脱しない範囲であれば、設計等に応じて種々の変更が可能である。
【００１１】
本実施形態の照明器具１は、一例として、図４に示すように、執務室などの天井材１８（造営材）に吊りボルト９（固定部材）により直付けされる天井直付け形の照明器具であることを想定する。ただし、照明器具１は、この限りではなく、天井埋込形の照明器具又は壁に取り付けられる照明器具であってもよい。照明器具１は、天井埋込形の照明器具の場合、建物の躯体（造営材）に埋め込まれている吊りボルト（固定部材）に固定されてもよい。本実施形態の照明器具１は、例えば図４に示すように、常用照明を行う常用照明装置２と、非常用照明を行う非常用照明装置３と、器具本体１０とを備えている。
【００１２】
器具本体１０は、図４に示すように、長尺の底板（天板１１）を有し、天板１１と対向するように常用照明装置２及び非常用照明装置３を天板１１の長手方向に沿って並べて収容する。天板１１は、その厚み方向（上下方向）に貫通する２つの貫通孔１１１を有する。各貫通孔１１１は、天井材１８に器具本体１０を固定するための吊りボルト９が挿通される孔である。２つの貫通孔１１１は、器具本体１０を天板１１の厚み方向に沿って見たときに天板１１に対する常用照明装置２の投影領域１６（図１参照）内に設けられている。なお、図１では、説明の便宜上、常用照明装置２の代わりに一点鎖線により投影領域１６が図示されている。
【００１３】
２つの貫通孔１１１は、さらに、天板１１の長手方向（左右方向）における投影領域１６の中心Ｐ１に対して互いに対称位置にある。本実施形態の天板１１は、図１に示すように、この投影領域１６の中心Ｐ１に、外部電源（例えば商用の交流電源）と接続される電源線１７（図４参照）を器具本体１０内に引き込むための挿通孔１１０を有している。
【００１４】
この構成では、図１４に示すように、非常用照明装置３を備えずに常用照明装置２のみを備える別の照明器具１Ａが、照明器具１とともに幅方向に並べて設置される場合であっても、左右方向に対する互いの常用照明装置２の位置ずれが低減される。そのため、位置ずれを抑制するために専用の取付器具（取付アダプタ）を木ねじなどで器具本体１０の上面に取り付けて、当該取付器具を介して吊りボルト９に固定するといった煩雑な作業が不要になる。その結果、施工性の低下を抑えることができる。なお、図１４では、４本の吊りボルト９は、それらの位置関係が容易に理解できるように想像線で図示されている（吊りボルト９の先端に締め付けられるナットは不図示）。
【００１５】
以下の説明では、照明器具１を天板１１の厚み方向に沿って見たときに、２つの貫通孔１１１のうち、非常用照明装置３と挿通孔１１０との間の貫通孔１１１を第１貫通孔１１１Ａとよび、他方の貫通孔１１１を第２貫通孔１１１Ｂとよぶこともある。なお、本実施形態では、貫通孔１１１の数は２つであるが、３つ以上であってもよい。言い換えると、第１貫通孔１１１Ａ及び第２貫通孔１１１Ｂに加えて、１つ以上の貫通孔１１１が天板１１の投影領域１６内に設けられていてもよい。
【００１６】
（２）詳細
（２．１）全体構成
以下、本実施形態の照明器具１について、図１〜図１４を参照して詳しく説明する。以下では、特に断りの無い限り、照明器具１の上下、左右、前後の方向を、図４に図示されている上下、左右、前後の矢印を用いて規定して説明する。
【００１７】
本実施形態の照明器具１は、「（１）概要」の欄で説明したように、常用照明を行う常用照明装置２と、非常用照明を行う非常用照明装置３と、常用照明装置２及び非常用照明装置３を収容する器具本体１０とを備えている。また、本実施形態の照明器具１は、挿通孔１１０から引き込まれる電源線１７が結線される端子台１４を備えている。
【００１８】
（２．２）器具本体
器具本体１０は、金属材料によって長尺の箱形に形成されている。器具本体１０は、長尺の矩形平板状の天板１１と、天板１１の長手方向（左右方向）に沿った２つの端縁のそれぞれから下向きに突出する一対の第１側板１２とを有している。器具本体１０は、さらに、天板１１の短手方向（前後方向）に沿った２つの端縁のそれぞれから下向きに突出する一対の第２側板１３を有している。さらに、器具本体１０は、天板１１に対向する下面に開口部１５（図４参照）を有している。天板１１には、電源線１７を通すための挿通孔１１０が天板１１を厚み方向に貫通する丸孔として設けられている（図４参照）。また、天板１１には、２本の吊りボルト９をそれぞれ通すための２つの貫通孔１１１が天板１１を厚み方向に貫通する丸孔として設けられている（図１参照）。端子台１４は、天板１１の下面に取り付けられている。
【００１９】
照明器具１の天井材１８（図４参照）への取付け作業時には、作業者は、２本の吊りボルト９を２つの貫通孔１１１にそれぞれ通し、同時に、電源線１７を挿通孔１１０に通す。そして、作業者は、各吊りボルト９の先端をナットで締め付けることで、器具本体１０が天井材１８（図４参照）に固定される。その後、作業者は、挿通孔１１０から器具本体１０内へ引き込まれた電源線１７を端子台１４に接続すればよい。なお、２つの貫通孔１１１及び挿通孔１１０の位置関係については、後の「（２．４．７）器具本体の貫通孔及び挿通孔」の欄で詳しく説明する。
【００２０】
器具本体１０は、図５Ａに示すように、非常用照明装置３を左端近傍に収容するように構成され、非常用照明装置３の右側に常用照明装置２を収容するように構成されている。ただし、この限りではなく、器具本体１０は、非常用照明装置３を右端近傍に収容するように構成され、非常用照明装置３の左側に常用照明装置２を収容するように構成されてもよい。あるいは、器具本体１０は、２つの非常用照明装置３を左端近傍及び右端近傍の両方にそれぞれ収容するように構成されてもよい。この場合、常用照明装置２は、左右方向において、２つの非常用照明装置３の間に挟まれるように、器具本体１０内に収容される。
【００２１】
また、器具本体１０は、常用照明装置２及び非常用照明装置３が並ぶ並び方向（左右方向）における器具本体１０の両端に突起１００を有している（図４参照）。具体的には、器具本体１０の各第２側板１３は、その下端に常用照明装置２及び非常用照明装置３に向かって突出する突起１００を有している。各突起１００は、図４に示すように、下方から見て前後方向に延びる細長い矩形板状にある。各突起１００は、例えば折り曲げ加工によって第２側板１３と一体に形成されている。
【００２２】
本実施形態では、非常用照明装置３が器具本体１０の左端近傍に収容されるため、一対の第２側板１３のうち左端の第２側板１３の突起１００が、後述するカバー７の係止部７４が係止されるための部位に相当する。カバー７の係止部７４が、突起１００に係止することで、器具本体１０に対するカバー７の左端部の保持が達成される。ただし、器具本体１０が非常用照明装置３を右端近傍に収容するように構成されている場合には、カバー７の係止部７４が一対の第２側板１３のうち右端の第２側板１３の突起１００に係止することで、カバー７の一端部の保持が達成されてもよい。
【００２３】
（２．３）常用照明装置
常用照明装置２は、常用光源２２（図４参照）と、常用光源２２が取り付けられる取付部材２１と、常用光源２２を覆う透光カバー２０と、常用光源２２を点灯する電源装置２３（図１参照）とを備えている。常用光源２２は、長尺の基板と、基板の表面に実装される多数のＬＥＤ（Light Emitting Diode）とを有している。取付部材２１は、金属材料によって長尺の樋状に形成されている。取付部材２１は、長尺の矩形板状に形成された底板と、底板の短手方向（前後方向）における両端から上向きに立ち上がる一対の側板２１０とを有している。常用光源２２は、取付部材２１の底板の下面に取り付けられる。電源装置２３は、端子台１４を介して常用電源（外部電源、例えば、商用の交流電源）から供給される交流電力を直流電力に変換するように構成されている。電源装置２３は、取付部材２１の底板の上面に取り付けられる。常用光源２２と電源装置２３は、底板に設けられた挿通孔に挿通される電線によって電気的に接続される。常用光源２２は、電線を介して電源装置２３から直流電力が供給されることによって点灯する。
【００２４】
透光カバー２０は、アクリル樹脂やポリカーボネート樹脂などの透光性を有する合成樹脂材料により上面が開口する長尺の箱形に形成されている。透光カバー２０の下面は、短手方向（前後方向）において両端から中央に向かってなだらかに下向きに突出する曲面形状に形成されている（図４参照）。なお、透光カバー２０を形成する合成樹脂材料には、拡散剤が混入されている。すなわち、常用光源２２から放射される光は、透光カバー２０を透過する際に拡散される。
【００２５】
常用照明装置２は、透光カバー２０を除く部分（取付部材２１の側板２１０，２１０及び電源装置２３など）が器具本体１０内に収容され、器具本体１０の開口部１５の大部分を透光カバー２０で塞ぐようにして器具本体１０に着脱可能に取り付けられる。ただし、常用照明装置２を器具本体１０に着脱可能に取り付ける構造は、特許文献１に記載されている従来例と共通であるから、詳細な説明及び図示は省略する。
【００２６】
（２．４）非常用照明装置
（２．４．１）非常用照明装置の全体構成
次に、非常用照明装置３について、図６〜図１３を参照して詳細に説明する。非常用照明装置３は、「（１）概要」の欄で説明したように、非常用光源ユニット４と、非常用電源ユニット５と、制御装置６と、カバー７と、を備えている（図６〜図９参照）。さらに、非常用照明装置３は、押さえ具８を備えている。
【００２７】
（２．４．２）非常用光源ユニット
非常用光源ユニット４は、図１１に示すように、ＬＥＤモジュール４０と、ホルダ４１と、一対の端子板４２と、放熱シート４３（図１０参照）と、レンズ４４とを有している。ＬＥＤモジュール４０は、矩形平板状の実装基板４００の中央に少なくとも１個のＬＥＤチップが実装されて構成されている。ＬＥＤチップは、例えば、青色光を放射する青色発光ダイオードであることが好ましい。また、ＬＥＤチップを含む実装基板４００の実装面（下面）は、ＬＥＤチップから放射される青色光を波長変換する蛍光物質が混入された封止樹脂４０１で被われている（図１１参照）。さらに、実装基板４００の対角の位置にある一対の角部の下面には、それぞれ電極が形成されている。一方の電極は、ＬＥＤチップのカソードと電気的に接続され、他方の電極は、ＬＥＤチップのアノードと電気的に接続されている。さらに、これら２つの電極は、一対の端子板４２のうちの対応する端子板４２と電気的に接続されている。
【００２８】
レンズ４４は、例えばガラス製であって、図１１に示すように、レンズ本体４４０と、レンズ本体４４０の周縁から外向きに突出する円環状の外鍔部４４１とを有している。レンズ４４は、図１０に示すように、非球面形状の入射面４４２及び出射面４４３を有し、いわゆるバットウイング（batwing）状の配光特性を実現する広角配光レンズであることが好ましい。ただし、レンズ４４は、ガラス繊維が混入されることで耐熱性（難燃性）が向上された合成樹脂材料（例えば、ポリカーボネート樹脂など）で形成されてもよい。レンズ本体４４０は、カバー７の係止部７４が突起１００に係止した係止状態において、孔７１１からカバー７の外部に突出する。
【００２９】
放熱シート４３は、高熱伝導率、電気絶縁性及び難燃性を有するシリコーン樹脂製のシート材で構成される。放熱シート４３は、ＬＥＤモジュール４０の実装基板４００の上面に接触する。
【００３０】
ホルダ４１は、例えばポリカーボネート樹脂などの合成樹脂材料により、上下方向から見て、おおよそ菱形に形成される（図１１参照）。ホルダ４１は、ＬＥＤモジュール４０の発光面（下面）にレンズ４４のレンズ本体４４０を重ねるようにして、ＬＥＤモジュール４０とレンズ４４を保持している。また、ホルダ４１は、端子板保持部４１０を有している。端子板保持部４１０は、上向きに伸びた角筒状に形成され、一対の端子板４２を内部に収容して保持している（図１０〜図１２参照）。
【００３１】
（２．４．３）非常用電源ユニット
非常用電源ユニット５は、図１３に示すように、乾電池型の複数（図示例では５本）の蓄電池５０と、これら複数の蓄電池５０を収容する合成樹脂材料製のケース５１と、第１導体５４と、第２導体５５とを備えている。ケース５１は、ケースボディ５２とケースカバー５３を有する。ケースボディ５２は、矩形の底壁５２０と、底壁５２０の前後両端縁から下向きに突出する一対の第１側壁５２１とを有している。また、ケースボディ５２は、底壁５２０の右側の端縁から下向きに突出する第２側壁５２２と、底壁５２０の左側の端縁から下向きに突出する第３側壁５２３とを有している。ただし、第３側壁５２３は、第１側壁５２１，５２１及び第２側壁５２２よりも上下方向の高さを高くするように形成されている。
【００３２】
底壁５２０は、その下面から下向きに突出する５つの突台部５２６を有している。これら５つの突台部５２６は、底壁５２０の下面において左右方向に並んでいる。また、各突台部５２６の下面は、半円筒面形状に形成されている。各突台部５２６の下面に蓄電池５０が１本ずつ載せられて支持される。ただし、５つの突台部５２６のうちで左端の突台部５２６は、他の４つの突台部５２６よりも下方に位置している。
【００３３】
第１側壁５２１，５２１の各々は、一対の突片５２１０を有している。各突片５２１０は、矩形の板状に形成され、第１側壁５２１の下端から下に突出している。また、各突片５２１０は、その先端（下端）に三角柱状の爪５２１１を有している。ただし、前方の第１側壁５２１が有する各突片５２１０の爪５２１１は前方へ突出し、後方の第１側壁５２１が有する各突片５２１０の爪５２１１は後方へ突出している。
【００３４】
第２側壁５２２は、その右側面における下端から右向きに突出している突部５２４を有する。突部５２４は、おおよそ直方体状に形成されている。ただし、突部５２４の右下の辺は、凸曲面形状に形成されることが好ましい。
【００３５】
第３側壁５２３は、矩形の板状に形成されている。第３側壁５２３は、その左側面における前方の下部に、端子保持部５２７を有している。端子保持部５２７は、軸方向を上下方向に一致させた角筒状に形成されている。また、端子保持部５２７内の空間は、隔壁５２７０によって２つに区切られている（図１３参照）。また、端子保持部５２７は、その前面における上端部分に、矩形板状のガイド片５２７１を有している。ガイド片５２７１は、厚み方向を左右方向に一致させるようにして端子保持部５２７の前面から前方へ突出している。
【００３６】
ケースカバー５３は、矩形の第１底壁５３０と、第１底壁５３０の左側の端縁から左斜め下向きに突出する矩形の第１側壁５３１と、第１底壁５３０及び第１側壁５３１の前後両端縁から上向きに突出する一対の第２側壁５３２とを有している。また、ケースカバー５３は、第１底壁５３０の右側の端縁から上向きに突出する第３側壁５３３と、第１側壁５３１の左側の端縁から左向きに突出する第２底壁５３４とを有している。
【００３７】
各第２側壁５３２は、一対の貫通孔５３２０を有している。また、前方の第２側壁５３２は、階段状に形成されている。
【００３８】
第３側壁５３３は、突片５３３０を有している。突片５３３０は、第３側壁５３３の後端寄りの上端から上に突出している。また、突片５３３０は、その先端（上端）に三角柱状の爪５３３１を有している。爪５３３１は、突片５３３０の上端における右側面から右方へ突出している。
【００３９】
第２底壁５３４は、矩形の板状に形成されている。第２底壁５３４は、その前方左端に蓋部５３５を有している。蓋部５３５は、左右方向から見た形状がＵ字状となるように形成されている。
【００４０】
５本の蓄電池５０は、各々の径方向に沿って互い違いに並ぶように配置される。右端の蓄電池５０の負極端子に、第１導体５４の一端部（右端の端部）が電気的に接続される。また、左端の蓄電池５０の正極端子に、第２導体５５の一端部（右端の端部）が電気的に接続される。右端の蓄電池５０の正極端子と、右から２番目の蓄電池５０の負極端子とが導体板５６によって電気的に接続される。右から２番目の蓄電池５０の正極端子と、右から３番目の蓄電池５０の負極端子とが導体板５６によって電気的に接続される。左端の蓄電池５０の負極端子と、左から２番目の蓄電池５０の正極端子とが導体板５６によって電気的に接続される。右から３番目の蓄電池５０の正極端子と、左から２番目の蓄電池５０の負極端子とが導体板５６によって電気的に接続される。つまり、５本の蓄電池５０は、４枚の導体板５６によって電気的に直列接続されている。
【００４１】
第１導体５４は、金属板によってＳ字状に形成されている（図１３参照）。第１導体５４の長手方向の一端（右端）が右端の蓄電池５０の負極端子と電気的に接続される。第１導体５４は、その長手方向の他端（左端）に第１コンタクト５７を有している。第１コンタクト５７は、角筒状の枠体５７０と、枠体５７０内に収容されるばね体とを有している。ばね体は、枠体５７０の上端に結合され、枠体５７０内において左右方向に撓み可能となるように枠体５７０と一体に形成されている。第１導体５４は、上側の第１側壁５２１及び第３側壁５２３に沿ってケースボディ５２内に収容される。また、第１コンタクト５７は、端子保持部５２７内の２つの空間のうちで隔壁５２７０の上側の空間に収容される。
【００４２】
第２導体５５は、金属板によってＳ字状に形成されている。第２導体５５の長手方向の一端（右端）が左端の蓄電池５０の正極端子と電気的に接続される。第２導体５５は、その長手方向の他端（左端）に第２コンタクト５８を有している。第２コンタクト５８は、角筒状の枠体と、枠体内に収容されるばね体とを有している。ばね体は、枠体の上端に結合され、枠体内において左右方向に撓み可能となるように枠体と一体に形成されている。第２導体５５は、下側の第１側壁５２１及び第３側壁５２３に沿ってケースボディ５２内に収容される。また、第２コンタクト５８は、端子保持部５２７内の２つの空間のうちで隔壁５２７０の下側の空間に収容される。
【００４３】
ケースボディ５２にケースカバー５３が結合されることによってケース５１が組み立てられる（図１１参照）。ケースボディ５２が有する４つの突片５２１０がそれぞれ、ケースカバー５３が有する４つの貫通孔５３２０のうちの対応する貫通孔５３２０に挿入される。さらに、ケースカバー５３が有する突片５３３０が、ケースボディ５２の突部５２４に設けられている貫通孔５２４０に挿入される。そして、突片５２１０、５３３０の先端に設けられている爪５２１１、５３３１が、貫通孔５３２０、５２４０の縁にそれぞれ引っ掛かることでケースボディ５２とケースカバー５３が結合される。なお、ケースボディ５２の端子保持部５２７の下側の開口部は、ケースカバー５３の蓋部５３５が被さることで閉じられる（図１１参照）。
【００４４】
（２．４．４）制御装置
制御装置６は、図１２に示すように、第１回路ブロック６０、第２回路ブロック６１、筐体６２、及び放熱板６３を備えている。第１回路ブロック６０は、矩形板状の第１プリント配線板６００、複数種類の電子部品６０１、受け側コネクタ６４、入力端子台６０３、出力コネクタ６０２、及び第１コネクタ６０４を有している。複数の種類の電子部品６０１のうちでリード付きの電子部品６０１が第１プリント配線板６００の下面（部品面）に挿入実装されている。また、複数種類の電子部品６０１のうちで表面実装型の電子部品６０１が第１プリント配線板６００の上面（はんだ面）に表面実装されている。ただし、第１プリント配線板６００の部品面には、受け側コネクタ６４、入力端子台６０３、出力コネクタ６０２及び第１コネクタ６０４も挿入実装されている。
【００４５】
出力コネクタ６０２は、一対のコンタクト６０２０を有している（図１２参照）。出力コネクタ６０２の各コンタクト６０２０は、非常用光源ユニット４の一対の端子板４２のうちの対応する端子板４２と接触して導通する。
【００４６】
受け側コネクタ６４は、第１コンタクト受け６４１と、第２コンタクト受け６４２と、ベース６４０とを有している（図１２参照）。ベース６４０は、電気絶縁性を有した合成樹脂材料によって矩形の板状に形成されている。第１コンタクト受け６４１及び第２コンタクト受け６４２は棒状に形成されて、ベース６４０を厚み方向に貫通した状態でベース６４０に支持されている。第１コンタクト受け６４１は、非常用電源ユニット５の第１コンタクト５７の枠体５７０内に挿入された状態において、枠体５７０内のばね体によって枠体５７０に押し付けられることで第１コンタクト５７と電気的に接続される。第２コンタクト受け６４２は、非常用電源ユニット５の第２コンタクト５８の枠体内に挿入された状態において、枠体内のばね体によって枠体に押し付けられることで第２コンタクト５８と電気的に接続される。
【００４７】
第１回路ブロック６０は、第１プリント配線板６００に形成されているプリント配線と、第１プリント配線板６００の部品面及びはんだ面に実装されている複数種類の電子部品６０１とで構成されたプリント回路を有している。第１回路ブロック６０のプリント回路は、例えば、直流電源回路、充電回路、点灯回路、停電検出回路、制御回路を含んでいる。直流電源回路は、例えば、リンギングチョークコンバータなどの自励型のスイッチング電源回路で構成され、常用電源から入力端子台６０３に入力される交流電圧を直流電圧に変換するように構成されている。充電回路は、常用電源から給電されているときに受け側コネクタ６４を通して一定の充電電流を出力するように構成されている。点灯回路は、非常用電源ユニット５から受け側コネクタ６４に入力される直流電流を定電流化し、定電流化した出力電流を出力コネクタ６０２より非常用光源ユニット４に供給するように構成されている。停電検出回路は、直流電源回路の出力電圧から常用電源の停電を検出して制御回路に通知するように構成されている。制御回路は、停電検出回路が常用電源の停電を検出していないときに充電回路を動作させ、かつ、点灯回路を停止させるように構成されている。また、制御回路は、停電検出回路が常用電源の停電を検出しているときに充電回路を停止させ、かつ、点灯回路を動作させるように構成されている。
【００４８】
第２回路ブロック６１は、矩形板状の第２プリント配線板６１０、２つの押釦スイッチ６１１、６１２、表示素子６１３、受光素子６１４並びに第２コネクタ６１５を有している。第２コネクタ６１５は、第２プリント配線板６１０の下面における長手方向の一端（前端）に実装されている。一方の押釦スイッチ６１１は、第２プリント配線板６１０の下面における第２コネクタ６１５の後方に実装されている。他方の押釦スイッチ６１２は、第２プリント配線板６１０の下面における長手方向の他端（後端）に実装されている。表示素子６１３は、例えば、緑色光を放射するＬＥＤチップを有している。表示素子６１３は、第２プリント配線板６１０の下面における押釦スイッチ６１２の前方に実装されている。受光素子６１４は、赤外線を通信媒体とする制御信号を受信し、受信した制御信号から送信フレームを復調するように構成されている。この制御信号は、定期点検の作業を行う作業者に操作されるリモートコントローラから送信される。受光素子６１４は、第２プリント配線板６１０の下面における表示素子６１３と押釦スイッチ６１１の間に実装されている。第２コネクタ６１５は、例えば、ケーブルによって第１回路ブロック６０の第１コネクタ６０４と電気的に接続される。第１回路ブロック６０の制御回路は、ケーブルを通して各押釦スイッチ６１１、６１２の操作状態（オン及びオフ）を監視するように構成されている。また、制御回路は、受光素子６１４で復調される制御信号の送信フレームを、ケーブルを通して受け取るように構成されている。さらに、制御回路は、第１回路ブロック６０の充電回路が動作している場合、ケーブルを通して表示素子６１３に電流を流すことで表示素子６１３を発光させるように構成されている。
【００４９】
なお、制御回路は、一方の押釦スイッチ６１１がオンされた場合、及び受光素子６１４から送信フレームを受け取った場合、定期点検動作を行うように構成されている。定期点検動作とは、充電回路を停止させ、かつ、点灯回路を動作させることである。さらに、制御回路は、他方の押釦スイッチ６１２がオンされた場合、自己点検動作を行うように構成されている。自己点検動作とは、充電回路を停止するとともに点灯回路を数秒間動作させた後、再度、点灯回路を停止させ、かつ、充電回路を動作させることである。ただし、制御回路は、自己点検動作を行うように指示する送信フレームを受光素子６１４から受け取った場合も自己点検動作を行うように構成されることが好ましい。
【００５０】
筐体６２は、第１筐体６２０と第２筐体６２１を有している。第１筐体６２０は、底部６２００と、側壁部６２０１とを有している。底部６２００は、おおよそ矩形の箱形に形成されている。底部６２００は、第１回路ブロック６０の第１プリント配線板６００のはんだ面を厚み方向（上下方向）から支持するように構成されている。側壁部６２０１は、板状に形成されている。側壁部６２０１は、ヒンジを介して底部６２００に連結されている。ゆえに、側壁部６２０１は、ヒンジを軸にして底部６２００に対して回転可能となるように構成されている。また、側壁部６２０１は、第２回路ブロック６１の第２プリント配線板６１０の長手方向に沿った端部（左端部）を厚み方向から挟んで支持するように構成されている。
【００５１】
第２筐体６２１は、上面及び左側面が開放された箱状に形成されている。第２筐体６２１は、第１筐体６２０と結合される。第２筐体６２１の上面は、第１筐体６２０の底部６２００によって閉じられる。また、第２筐体６２１の左側面は、第１筐体６２０の側壁部６２０１によって閉じられる（図１０参照）。
【００５２】
第２筐体６２１は、下面の左端から下方へ突出する突台部６２１０を有している（図１２参照）。突台部６２１０は、おおよそ角錐台状に形成されている。突台部６２１０は、２つの操作部材（第１操作部材６２１４及び第２操作部材６２１５）を有している。第１操作部材６２１４は、突台部６２１０の下面における前端に設けられている。また、第２操作部材６２１５は、突台部６２１０の下面における後端に設けられている。第１操作部材６２１４及び第２操作部材６２１５は、突台部６２１０の下面に対して上下方向に移動可能となるように構成されている。つまり、上向きに押された第１操作部材６２１４が押釦スイッチ６１１の押釦を押すことにより、押釦スイッチ６１１がオンする。また、上向きに押された第２操作部材６２１５が押釦スイッチ６１２の押釦を押すことにより、押釦スイッチ６１２がオンする。さらに、突台部６２１０の下面において第１操作部材６２１４と第２操作部材６２１５の間に、円形の窓６２１６、６２１７が２つ設けられている。前方の窓６２１６は、上下方向において第２回路ブロック６１の受光素子６１４と対向している。後方の窓６２１７は、上下方向において第２回路ブロック６１の表示素子６１３と対向している。つまり、リモートコントローラから送信される制御信号は、前方の窓６２１６を通して受光素子６１４に到達する。また、表示素子６１３が発する光（緑色光）は、後方の窓６２１７を通して筐体６２の外に放射される。
【００５３】
また、第２筐体６２１は、右端に３つの開口部６２１１、６２１２、６２１３を有している。これら３つの開口部６２１１、６２１２、６２１３は、前後方向に沿って一列に並んでいる（図１２参照）。前端の開口部６２１１は、第１回路ブロック６０の受け側コネクタ６４と対向している。後端の開口部６２１３は、入力端子台６０３が挿通される。中央の開口部６２１２は、出力コネクタ６０２と対向している（図１１参照）。
【００５４】
放熱板６３は、非常用光源ユニット４が取り付けられる取付部６３０と、一対の脚部６３１と、一対の固定部６３２とを有している（図１２参照）。取付部６３０は、おおよそ台形状に形成されている。一対の脚部６３１は、平坦な板状に形成されて取付部６３０の前端及び後端から上方向へ突出している。一対の固定部６３２は、一対の脚部６３１の上端から前後方向に沿って互いに近付く向きに突出している。ただし、本実施形態では、取付部６３０と一対の脚部６３１と一対の固定部６３２とは、アルミ又はアルミ合金製の板材によって一体に形成されている。
【００５５】
放熱板６３は、取付部６３０を第２筐体６２１の下面に対向させ、一対の脚部６３１を第２筐体６２１の前面及び後面に対向させ、一対の固定部６３２を第１筐体６２０の底部６２００の上面に引っ掛けるようにして筐体６２に取り付けられる（図１１参照）。また、放熱板６３は、一対の脚部６３１に設けられている矩形の嵌合孔６３３のそれぞれに、第２筐体６２１の上面及び下面の上端から突出する突部６２１８を嵌合させることによって筐体６２に対して位置決めされている（図１１及び図１２参照）。
【００５６】
非常用光源ユニット４は、放熱板６３の取付部６３０に設けられているねじ孔６３００に対してホルダ４１がねじ止めされることによって取付部６３０に取り付けられている（図９〜図１２参照）。また、非常用光源ユニット４は、第２筐体６２１の中央の開口部６２１２から露出する出力コネクタ６０２にホルダ４１の端子板保持部４１０が差込接続されることにより、制御装置６の第１回路ブロック６０と電気的に接続される（図１０参照）。さらに、ＬＥＤモジュール４０は、放熱シート４３を介して取付部６３０（放熱板６３）と熱的に結合される（図１０参照）。
【００５７】
制御装置６は、器具本体１０内の左端に収容される（図２参照）。制御装置６は、放熱板６３の一対の固定部６３２が天板１１にねじ止めされることによって器具本体１０に固定されることが好ましい。つまり、ＬＥＤモジュール４０が発する熱は、放熱シート４３から放熱板６３に伝導され、さらに、放熱板６３から器具本体１０に伝導されて放熱される。
【００５８】
（２．４．５）押さえ具
押さえ具８は、図９に示すように、主片８０、引掛片８１、側片８２、第１差込片８３、第２差込片８４、及び第３差込片８５を有している。なお、本実施形態では、主片８０、引掛片８１、側片８２、第１差込片８３、第２差込片８４及び第３差込片８５は、金属板によって一体に形成されている。
【００５９】
主片８０は、下方から見てＬ字状に形成されている。主片８０は、雌ねじ部８００を有している。引掛片８１は、円弧状に湾曲した湾曲部８１０と、湾曲部８１０と主片８０を連結する連結部８１１と、湾曲部８１０の下端から突出する矩形の平坦部８１２とを有している（図７Ａ〜７Ｃ及び図９参照）。引掛片８１は、連結部８１１によって主片８０の左端の下部と連結されている。なお、引掛片８１は、連結部８１１が厚み方向に撓むことにより、湾曲部８１０を左右方向に変位可能とするように構成されている。側片８２は、矩形に形成されている。側片８２は、主片８０の後端から下向き及び左向きに突出している。側片８２の下部は後方に向かって傾斜している。第１差込片８３及び第２差込片８４は、前後方向から見てＬ字状に形成されている（図７Ｂ及び図８Ｂ参照）。なお、第２差込片８４は、主片８０に切り起こし形成されることが好ましい。第３差込片８５は、前後方向から見てＬ字状に形成されている（図７Ｂ及び図８Ｂ参照）。第３差込片８５は、側片８２の左端の上端から上方向へ突出している（図７Ｂ参照）。
【００６０】
押さえ具８は、天板１１を貫通する３つの孔に第１差込片８３、第２差込片８４及び第３差込片８５が一対一に対応して差し込まれ、第１差込片８３、第２差込片８４及び第３差込片８５のそれぞれが天板１１を挟むように構成されている。そして、押さえ具８は、天板１１に設けられるねじ挿通孔に挿通されたねじが主片８０の雌ねじ部８００にねじ込まれることによって天板１１の下面に取り付けられる。
【００６１】
非常用電源ユニット５は、器具本体１０の天板１１に取り付けられた制御装置６と押さえ具８の間に配置される（図２参照）。非常用電源ユニット５は、ケースボディ５２を天板１１に対向させた状態で器具本体１０内の制御装置６と押さえ具８の間の空間に収容される。非常用電源ユニット５の端子保持部５２７は、第２筐体６２１の前端の開口部６２１１を通して筐体６２内に挿入される。このとき、端子保持部５２７のガイド片５２７１が、第２筐体６２１の前面の右端に設けられているガイド溝６２１９に案内される（図９参照）。そして、非常用電源ユニット５の第１コンタクト５７が、制御装置６の第１コンタクト受け６４１と電気的に接続される。また、非常用電源ユニット５の第２コンタクト５８が、制御装置６の第２コンタクト受け６４２と電気的に接続される。さらに、非常用電源ユニット５は、ケース５１に設けられた突部５２４に、押さえ具８の引掛片８１の湾曲部８１０を引っ掛けることによって押さえ具８に支持される（図７Ａ及び図１１参照）。ここで、引掛片８１は、平坦部８１２に加えられる力によって連結部８１１が撓むと、湾曲部８１０が右向きに変位して湾曲部８１０と突部５２４との引っ掛かりが解除される。そして、非常用電源ユニット５は、湾曲部８１０と突部５２４との引っ掛かりが解除された状態で下向きに引っ張られると、第１コンタクト５７及び第２コンタクト５８が第１コンタクト受け６４１及び第２コンタクト受け６４２から引き抜かれる。つまり、作業者は、非常用電源ユニット５の器具本体１０への収容作業とほぼ同時に非常用電源ユニット５と制御装置６との電気的な接続作業を完了させることができる。また、作業者は、非常用電源ユニット５の器具本体１０からの取り外し作業とほぼ同時に非常用電源ユニット５と制御装置６との電気的な接続解除作業を完了させることができる。
【００６２】
（２．４．６）カバー
カバー７は、非常用光源ユニット４から放射される光が通過する孔７１１を有して、制御装置６及び非常用光源ユニット４を覆うように構成されている。ただし、本実施形態のカバー７は、制御装置６及び非常用光源ユニット４以外に、非常用電源ユニット５も覆うように構成されている。カバー７は、図２及び図３に示すように、カバー本体７０と、一対の係止部７４，７４と、固定部７５とを有している。
【００６３】
カバー本体７０は、図３に示すように、第１カバー体７１と第２カバー体７２と連結体７３とから構成されている。第１カバー体７１は、非常用光源ユニット４、制御装置６及び非常用電源ユニット５の一部（左端部）を下から覆うように構成されている。第２カバー体７２は、非常用電源ユニット５の残り全部を下から覆うように構成されている。第１カバー体７１と第２カバー体７２は、前後方向から見てＬ字状に形成されている長尺の連結体７３によって左右方向に並ぶように連結されている。本実施形態では、第１カバー体７１、第２カバー体７２及び連結体７３は、金属のような不燃性の材料によって一体に形成される。カバー７は、例えばアルミダイカストで構成される。
【００６４】
第１カバー体７１は、上面に矩形状の開口部７１６（図３参照）を有した箱形に形成されている。第１カバー体７１は、図７Ａに示すように、下方から見たときに矩形状に形成されている。第１カバー体７１の下面は、常用照明装置２の透光カバー２０と同様に、短手方向（前後方向）において両端から中央に向かってなだらかに下向きに突出する曲面形状に形成されている（図２参照）。第１カバー体７１の下面に窪み７１０が形成されている。窪み７１０は、下方から見た形状が楕円形に形成されている。孔７１１は、窪み７１０の中央（底）に、上下方向に貫通して設けられている。孔７１１は、レンズ４４のレンズ本体４４０が挿通可能な形状（楕円形状）に形成されている。窪み７１０は、その長軸方向（左右方向）の両端を、その短軸方向（前後方向）の両端よりも下方へ突出させるように形成されている（図７Ｂ参照）。
【００６５】
第２カバー体７２は、前後方向から見てＬ字状に形成されていて、非常用電源ユニット５の一部を覆うように構成されている。具体的には、第２カバー体７２は、平坦部７２０と腕部７２１とを有している。平坦部７２０は、おおよそ矩形平板状に形成されている。平坦部７２０は、その左端において連結体７３と連結されている。腕部７２１は、おおよそ矩形平板状に形成されている。腕部７２１は、平坦部７２０の右端における前端から上方へ立ち上るように構成されている（図３参照）。
【００６６】
固定部７５は、おおよそ矩形平板状に形成されている。固定部７５は、腕部７２１の上端から右方へ突出するように構成されている。また、固定部７５は、その前方寄りの右隅に円形のねじ挿通孔７５０を有している。
【００６７】
係止部７４，７４は、常用照明装置２及び非常用照明装置３が並ぶ並び方向（左右方向）における、カバー本体７０の一端部（左端部）に設けられている。言い換えると、係止部７４，７４は、第１カバー体７１の左端部に設けられている。係止部７４は、器具本体１０の突起１００に係止するための部位である。各係止部７４は、一例として板ばね（弾性部材）である。
【００６８】
以下、第１カバー体７１について、さらに具体的に説明する。第１カバー体７１は、図３に示すように、第１側壁部７１Ａ及び第２側壁部７１Ｂと、左右方向において第１側壁部７１Ａ及び第２側壁部７１Ｂを互いに対向するように連結する湾曲底部７１Ｃとから構成されている。第１側壁部７１Ａ、第２側壁部７１Ｂ及び湾曲底部７１Ｃは、一体となって形成されている。
【００６９】
第１側壁部７１Ａは、湾曲底部７１Ｃの左側に配置され、第２側壁部７１Ｂは、湾曲底部７１Ｃの右側に配置されている。第１側壁部７１Ａ及び第２側壁部７１Ｂの各々は、左右方向に沿って見たときにその下辺が略円弧状に形成されている。第２側壁部７１Ｂの上端部は、連結体７３によって第２カバー体７２と連結している。
【００７０】
湾曲底部７１Ｃは、上下方向に沿って見たときに矩形状に形成されており、左右方向に沿って見たときに下向きに突出する曲面形状に形成されている。第１カバー体７１の開口部７１６の周縁は、図３に示すように、湾曲底部７１Ｃの前側及び後側の上端部と、第１側壁部７１Ａ及び第２側壁部７１Ｂの上端部とによって形成されている。
【００７１】
湾曲底部７１Ｃは、上述した窪み７１０及び孔７１１を有している。非常用光源ユニット４のレンズ本体４４０は、カバー７が器具本体１０に取り付けられた状態において、孔７１１に挿通されてカバー７の外に露出する。また湾曲底部７１Ｃは、第１貫通孔７１２と、第２貫通孔７１３と、第３貫通孔７１４と、第４貫通孔７１５とを有している（図７Ａ参照）。
【００７２】
第１貫通孔７１２は、カバー７が器具本体１０に取り付けられた状態において、制御装置６の第１操作部材６２１４と対向している。第１操作部材６２１４は、第１貫通孔７１２に挿通される治具によって押操作される。制御装置６の第２操作部材６２１５は、カバー７が器具本体１０に取り付けられた状態において、第４貫通孔７１５に挿通されている。第２操作部材６２１５は、例えば、人の指によって押操作される。第２貫通孔７１３は、カバー７が器具本体１０に取り付けられた状態において、制御装置６の受光素子６１４と対向している。第３貫通孔７１４は、カバー７が器具本体１０に取り付けられた状態において、制御装置６の表示素子６１３と対向している。つまり、リモートコントローラから送信される制御信号は、第２貫通孔７１３を通して受光素子６１４に到達する。また、表示素子６１３が発する光（緑色光）は、第３貫通孔７１４を通してカバー７の外に放射される。
【００７３】
第１カバー体７１は、カバー７が器具本体１０に取り付けられた状態において、第１側壁部７１Ａが制御装置６の筐体６２の左端面よりも左方に配置されるように、寸法関係が規定されている。
【００７４】
本実施形態では、カバー７の取付けの際には、作業者は、係止部７４，７４を突起１００と制御装置６との間の隙間から挿入して、器具本体１０の天板１１に向かって押し込む。それにより、突起１００が係止部７４，７４の凸状に湾曲した引掛部分に引っ掛かり、係止部７４の係止状態が達成され、カバー７の左端部が器具本体１０に保持される。この状態で、作業者は、ねじを固定部７５のねじ挿通孔７５０（図２参照）と、押さえ具８の主片８０に設けられたねじ挿通孔８０１（図２参照）とに挿通し、器具本体１０の天板１１に設けられている雌ねじにねじ込む。その結果、カバー７の取付け作業が完了する。
【００７５】
（２．４．７）器具本体の貫通孔及び挿通孔
以下、器具本体１０の２つの貫通孔１１１（第１貫通孔１１１Ａ及び第２貫通孔１１１Ｂ）及び挿通孔１１０の位置関係について、図１及び図１４を参照しながら説明する。
【００７６】
本実施形態では、２つの貫通孔１１１は、器具本体１０を天板１１の厚み方向に沿って見たときに天板１１に対する常用照明装置２の投影領域１６内に設けられている（図１参照）。また、２つの貫通孔１１１は、左右方向における投影領域１６の中心Ｐ１に対して互いに対称位置にある。言い換えると、左右方向における２つの貫通孔１１１間の中心が投影領域１６の中心Ｐ１に相当する。なお、２つの貫通孔１１１は、いずれも前後方向における中央に配置されている。投影領域１６の中心Ｐ１は、器具本体１０の天板１１全体の長手方向における中心Ｐ２とは異なり、中心Ｐ２よりもやや右寄りの位置にある。要するに、２つの貫通孔１１１の配置場所が、特許文献１に記載される従来の照明器具とは違って、天板１１の全領域から天板１１に対する非常用照明装置３の投影領域を除いた、投影領域１６を基準として設定されている。
【００７７】
また本実施形態では、電源線１７を器具本体１０内に引き込むための挿通孔１１０が、投影領域１６の中心Ｐ１に設けられている（図１参照）。挿通孔１１０は、前後方向における中央に配置されている。
【００７８】
ここで図１４に示すように、照明器具１とは別の照明器具１Ａが、本実施形態の照明器具１とともに幅方向（前後方向）に並べて天井材１８（図４参照）に設置される場合を想定する。つまり、一対の吊りボルト９Ａ，９Ａと、さらにもう一対の吊りボルト９Ｂ，９Ｂが天井材１８に設けられていることを想定する。ここでは、照明器具１が一対の吊りボルト９Ａ，９Ａによって固定され、照明器具１Ａが一対の吊りボルト９Ｂ，９Ｂによって固定される。
【００７９】
図１４では、一例として、吊りボルト９Ａ，９Ａは、左右方向に沿って配置されている。同様に、吊りボルト９Ｂ，９Ｂは、左右方向に沿って配置されている。左右方向における吊りボルト９Ａ，９Ａの間隔（ピッチ）は、左右方向における吊りボルト９Ｂ，９Ｂの間隔に等しい。また、吊りボルト９Ａ，９Ａのうち左の吊りボルト９Ａと、吊りボルト９Ｂ，９Ｂのうち左の吊りボルト９Ｂとを結ぶ線分は、前後方向に平行である。同様に、吊りボルト９Ａ，９Ａのうち右の吊りボルト９Ａと、吊りボルト９Ｂ，９Ｂのうち右の吊りボルト９Ｂとを結ぶ線分は、前後方向に平行である。
【００８０】
照明器具１Ａは、非常用照明装置３を備えずに、常用照明装置２と常用照明装置２を収容する器具本体１０Ａとを備えている。つまり、器具本体１０Ａの長手方向（左右方向）の寸法は、本実施形態の器具本体１０と比べて、非常用照明装置３の収容空間の分だけおおむね小さい。照明器具１Ａの常用照明装置２は、本実施形態の照明器具１の常用照明装置２と同じ照明装置であり、左右方向における寸法は互いに同じである。
【００８１】
このような照明器具１Ａが照明器具１とともに並べて設置される場合であっても、照明器具１の２つの貫通孔１１１の配置場所が上述の通り投影領域１６を基準として設定されているため、左右方向に対する互いの常用照明装置２の位置ずれが低減される。そのため、位置ずれを抑制するために専用の取付器具（取付アダプタ）を木ねじなどで器具本体１０の上面に取り付けて、当該取付器具を介して吊りボルト９に固定するといった煩雑な作業が不要になる。その結果、施工性の低下を抑えることができる。また専用の取付器具が不要となるので、取付器具の製造コストも削減される。さらに、挿通孔１１０が投影領域１６の中心Ｐ１に設けられているため、端子台１４への電源線１７の結線作業が向上される。そして、このように配置された照明器具１及び照明器具１Ａは、互いの常用照明装置２の位置ずれが低減されるため、外観の意匠性（見栄え）の低下も抑制されると言える。
【００８２】
ところで、例えば特許文献１に記載の照明器具のようにその長手方向の寸法が比較的長い場合（例えば約１２００ｍｍ）、器具本体内において吊りボルトを通す貫通孔を２つ設けるためのスペースを確保することは容易である。しかし、本実施形態の照明器具１のようにその長手方向の寸法が比較的短い場合（例えば約７００ｍｍ）、従来では貫通孔を２つ設けるためのスペースを確保することは容易ではなかった。
【００８３】
その理由として、特許文献１に記載の照明器具のように、従来では、常用照明装置の電源装置だけでなく非常用照明装置の制御装置も天板における常用照明装置の投影領域内に配置されていたことに起因する。一方で、公共施設などの建物における吊りボルトの間隔は予め定められている（例えば４００ｍｍ）。そのため、従来では本実施形態の照明器具１のようにその長手方向の寸法が比較的短い場合、貫通孔を２つ確保できずに、上述のような専用の取付器具を器具本体の上面に別途取りつけて、当該取付器具を介して吊りボルトに固定する必要があった。
【００８４】
しかし、この照明器具１の非常用照明装置３は、制御装置６が非常用光源ユニット４と上下方向に並ぶように構成されている。言い換えると、制御装置６が、投影領域１６内ではなく、天板１１に対するカバー７の第１カバー体７１の投影領域内におおむね収まるように配置されている（図２参照）。したがって、投影領域１６において、制御装置６の分だけスペースに余裕ができ、２つの貫通孔１１１を４００ｍｍの間隔で配置させることができる。
【００８５】
また、本実施形態では、端子台１４は、投影領域１６のうち、長手方向（左右方向）における挿通孔１１０と第１貫通孔１１１Ａとの間の第１領域１６１に設けられている（図１参照）。一方、常用照明装置２の電源装置２３は、投影領域１６のうち、長手方向（左右方向）における挿通孔１１０と第２貫通孔１１１Ｂとの間の第２領域１６２に設けられている（図１参照）。
【００８６】
端子台１４が第１領域１６１に設けられていることで、端子台１４から常用照明装置２の電源装置２３及び非常用照明装置３の制御装置６の両方への結線作業が向上され、さらに配線回りの改善がなされる。また、電源装置２３は、第２領域１６２に設けられていることで非常用照明装置３から比較的離れた位置となるため、非常用照明装置３に対して電源装置２３から発せられる熱の影響を抑えることができる。
【００８７】
（４）利点
以上説明したように、第１の態様に係る照明器具１は、常用照明を行う常用照明装置２と、非常用照明を行う非常用照明装置３と、器具本体１０と、を備える。器具本体１０は、長尺の底板（天板１１）を有し、天板１１と対向するように常用照明装置２及び非常用照明装置３を天板１１の長手方向（左右方向）に沿って並べて収容する。天板１１は、天板１１の厚み方向（上下方向）に貫通し、造営材（天井材１８）に器具本体１０を固定するための固定部材（吊りボルト９）が各々に挿通される２つの貫通孔１１１を有する。２つの貫通孔１１１は、常用照明装置２を天板１１の厚み方向に沿って見たときに天板１１に対する常用照明装置２の投影領域１６内に設けられている。２つの貫通孔１１１は、さらに、上記長手方向における投影領域１６の中心Ｐ１に対して互いに対称位置にある。
【００８８】
第１の態様によれば、非常用照明装置３を備えずに常用照明装置２のみを備える別の照明器具１Ａが、照明器具１とともに幅方向に並べて設置される場合であっても、左右方向に対する互いの常用照明装置２の位置ずれが低減される。そのため、位置ずれを抑制するために専用の取付器具を木ねじなどで器具本体１０に取り付けて、当該取付器具を介して吊りボルト９に固定するといった煩雑な作業が不要になる。その結果、施工性の低下を抑えることができる。また専用の取付器具が不要となるので、取付器具の製造コストも削減される。
【００８９】
第２の態様に係る照明器具１に関して、第１の態様において、底板（天板１１）は、外部電源と接続される電源線１７を器具本体１０内に引き込むための挿通孔１１０を、更に有することが好ましい。挿通孔１１０は、天板１１の厚み方向に貫通し、かつ、投影領域１６の中心Ｐ１に設けられていることが好ましい。第２の態様によれば、器具本体１０内における端子台１４への電源線１７の結線作業が向上される。
【００９０】
第３の態様に係る照明器具１は、第２の態様において、電源線１７が接続される端子台１４を、更に備えることが好ましい。常用照明装置２は、常用光源２２と、端子台１４を介して外部電源から供給される電力により常用光源２２を点灯する電源装置２３と、を有することが好ましい。端子台１４は、投影領域１６のうち、上記長手方向における挿通孔１１０と２つの貫通孔１１１の一方（第１貫通孔１１１Ａ）との間の第１領域１６１に設けられていることが好ましい。電源装置２３は、投影領域１６のうち、上記長手方向における挿通孔１１０と２つの貫通孔１１１の他方（第２貫通孔１１１Ｂ）との間の第２領域１６２に設けられていることが好ましい。
【００９１】
第３の態様によれば、端子台１４から常用照明装置２の電源装置２３及び非常用照明装置３の制御装置６の両方への結線作業が向上され、さらに配線回りの改善がなされる。また、電源装置２３が非常用照明装置３から比較的離れた位置となるため、非常用照明装置３に対して電源装置２３から発せられる熱の影響を抑制することができる。
【符号の説明】
【００９２】
１  照明器具
２  常用照明装置
３  非常用照明装置
９  吊りボルト（固定部材）
１０  器具本体
１１  天板（底板）
１４  端子台
１６  投影領域
１６１  第１領域
１６２  第２領域
１７  電源線
１８  天井材（造営材）
２２  常用光源
２３  電源装置
１１０  挿通孔
１１１  貫通孔
１１１Ａ  第１貫通孔
１１１Ｂ  第２貫通孔
Ｐ１  中心
【図１】
2018147589.tif 000003
【図２】
2018147589.tif 000004
【図３】
2018147589.tif 000005
【図４】
2018147589.tif 000006
【図５】
2018147589.tif 000007
【図６】
2018147589.tif 000008
【図７】
2018147589.tif 000009
【図８】
2018147589.tif 000010
【図９】
2018147589.tif 000011
【図１０】
2018147589.tif 000012
【図１１】
2018147589.tif 000013
【図１２】
2018147589.tif 000014
【図１３】
2018147589.tif 000015
【図１４】
2018147589.tif 000016